(57)【特許請求の範囲】
【請求項１】
それぞれｙ軸に実質的に平行な法線を有する、複数のｙ平面板と、
それぞれｚ軸に実質的に平行な法線を有する、複数のｚ平面板と、
ｚ平面板をｙ平面板に接続するｙ−ｚコネクタであって、前記ｙ平面板と前記ｚ平面板との間の電気的接続を行う、ｙ−ｚコネクタと、
前記複数のｚ平面板に対する複数のｚ仕切り板であって、各ｚ仕切り板は、前記複数のｙ平面板の１つ以上の隣接するｙ平面板に接続するための１つ以上のコネクタを有し、対向する縁部間のミドルエッジの近くの前記ｚ仕切り板に中間コネクタを有し、前記中間コネクタを、前記ｚ仕切り板を１つ以上のｙ平面板に接続するｙ−ｚコネクタに電気的に接続する配線トレースを有する、複数のｚ仕切り板と、
１つ以上の集積回路が装着された複数の取り外し可能な板であって、前記１つ以上の集積回路を嵌合コネクタに接続する配線トレースを有する複数の取り外し可能な板であって、それぞれ前記ｚ仕切り板に実質的に平行である複数の取り外し可能な板と、
前記取り外し可能な板上の嵌合コネクタがｚ仕切り板上の中間コネクタと電気的接続を行うように、前記複数の取り外し可能な板を支持し、且つ、前記取り外し可能な板を前記ｚ仕切り板の前記中間コネクタの近くの所定の位置に誘導するためのキャリア構造と、
前記複数のｚ仕切り板および前記複数の取り外し可能な板に実質的に平行な方向に空気を吹き込むためのファンを有するファンバンクであって、前記空気が、前記取り外し可能な板の表面および前記ｚ仕切り板の表面に沿って実質的に平行な経路内を通過し、前記空気が、前記取り外し可能な板、前記ｚ仕切り板および前記ｙ平面板によって実質的に遮断されない、ファンバンクと、を備える、電子相互接続シャーシ。
【請求項２】
前記複数のｙ平面板および前記複数のｚ平面板は、少なくとも４つのハニカムセルを有するハニカム相互接続構造を形成するように交差しており、各ハニカムセルは、ｙ平面板によって形成された２つの壁と、ｚ平面板によって形成された２つの壁と、を有する、請求項１に記載の電子相互接続シャーシ。
【請求項３】
前記キャリア構造は、前記ｚ仕切り板に接続するために前記複数の取り外し可能な板を所定の位置に誘導するための複数のガイドを備え、前記ガイドは、気流の方向に実質的に平行であり、これにより、取り外し可能な板は、気流に平行な方向に挿入される、請求項２に記載の電子相互接続シャーシ。
【請求項４】
前記複数の取り外し可能な板をそれぞれ支持するための複数のスレッドであって、前記スレッドが前記キャリア構造に挿入されると、前記複数のガイドのうち１つのガイドに沿って摺動する嵌合ガイドを有する複数のスレッドをさらに備える、請求項３に記載の電子相互接続シャーシ。
【請求項５】
前記キャリア構造は、
前記ｙ平面板に平行なスレッドキャリア床面と、
前記ｚ仕切り板に平行なスレッドキャリア仕切りと、を備え、
前記スレッドキャリア床面及び前記スレッドキャリア仕切りは、直角に交差して、キャリアハニカム構造を形成する、請求項４に記載の電子相互接続シャーシ。
【請求項６】
前記複数のガイドは、前記スレッドキャリア床面に形成されている、請求項５に記載の電子相互接続シャーシ。
【請求項７】
前記スレッドキャリア床面は、前記ｙ平面板と同一平面上にあり、
前記スレッドキャリア仕切りは、前記ｚ仕切り板に平行であって、前記ｚ仕切り板からオフセットされており、前記スレッドキャリア仕切りは、前記ｚ仕切り板と同一平面上になく、前記ｚ仕切り板からオフセットされており、
前記ｚ仕切り板上の前記中間コネクタは、前記ｚ仕切り板からオフセットされている前記スレッドキャリア仕切りによって露出されている、請求項５に記載の電子相互接続シャーシ。
【請求項８】
前記キャリア構造は、前記ハニカム相互接続構造の前に存在しており、前記ファンバンクは、前記ハニカム相互接続構造の後ろに存在している、請求項５に記載の電子相互接続シャーシ。
【請求項９】
前記ハニカム相互接続構造の端部にて末端のｚ平面板と嵌合する末端のスレッドに搭載された電力供給ユニットであって、電力接続及び接地接続を、前記ｚ仕切り板、前記ｙ平面板及び前記末端のｚ平面板を介して前記複数の取り外し可能な板に提供する、請求項８に記載の電子相互接続シャーシ。
【請求項１０】
前記末端のｚ平面板に接続されたファンコントローラ板であって、前記ファンバンクに電力を供給することによって、前記末端のｚ平面板も前記ファンバンクに電力を供給するためのファンコントローラ板を備える、請求項９に記載の電子相互接続シャーシ。
【請求項１１】
前記ハニカム相互接続構造のハニカムセルの間を流れる空気を等しくするための少なくとも１つの開口、穴又はノッチを有する気流プレナムを備える、請求項８に記載の電子相互接続シャーシ。
【請求項１２】
それぞれ対応するｚ仕切り板の後縁に形成された複数の後方コネクタであって、前記後縁は、前記対向する縁部間及び前記対応するｚ仕切り板の中間コネクタの反対側に存在し、前記後縁は、前記ファンバンクに最も近い縁部である、複数の後方コネクタと、
前記複数の後方コネクタに接続された後部板であって、対応する後方コネクタに嵌合する前記後部板上の嵌合コネクタに接続された配線トレースを有する後部板と、を備える、請求項８に記載の電子相互接続シャーシ。
【請求項１３】
複数の相互接続板であって、各相互接続板は、主面と、縁部と、配線トレースと、前記複数の相互接続板のうち他の相互接続板に接続するためのファブリックコネクタと、ターゲットコネクタと、を有し、前記配線トレースは、前記ターゲットコネクタを前記ファブリックコネクタに接続する、複数の相互接続板と、
複数の取り外し可能な板であって、前記複数の取り外し可能な板の各々は、主面と、縁部と、配線トレースと、１つ以上の集積回路と、前記複数の相互接続板のうち１つの相互接続板上の前記ターゲットコネクタに接続するためのローカルコネクタと、を有し、前記取り外し可能な板の前記配線トレースは、前記ローカルコネクタを前記１つ以上の集積回路に接続する、複数の取り外し可能な板と、
前記複数の相互接続板によって形成された複数のセルであって、各セルは中心軸を有し、前記複数のセルは、少なくとも４つのセルを備える、複数のセルと、
各取り外し可能な板の前記ローカルコネクタが、対応する相互接続板の前記ターゲットコネクタと嵌合するように、前記複数の取り外し可能な板を所定の位置に誘導するための複数のキャリアガイドと、
前記キャリアガイドを支持するためのキャリア構造であって、前記複数のセルと整列してオフセットされる複数のキャリアセルを有し、各キャリアセルは、前記相互接続板上に前記ターゲットコネクタを露出するようにオフセットされる少なくとも１つの壁を有し、これにより、前記キャリアセルは、前記セルと整列し、前記ターゲットコネクタからオフセットされる、キャリア構造と、
前記複数の相互接続板を冷却し、且つ、前記複数の取り外し可能な板を冷却するために、前記複数のセルの前記中心軸に沿って気流を発生させるファンのバンクであって、前記気流は前記複数の相互接続板の前記主面に平行であり、前記複数の相互接続板の縁部は前記気流に面する、ファンのバンクと、を備える、ハニカム相互接続構造。
【請求項１４】
前記複数の取り外し可能な板のうち対応する取り外し可能な板に装着される、複数のスレッドと、
各スレッド上に形成されたスレッドガイドであって、前記対応する取り外し可能な板上の前記ローカルコネクタが前記ターゲットコネクタに挿入されると、前記複数のキャリアガイドのうち１つのキャリアガイドに沿って摺動するためのスレッドガイドと、をさらに備える、請求項１３に記載のハニカム相互接続構造。
【請求項１５】
前記キャリアガイド及び前記スレッドガイドは、前記中心軸に実質的に平行であり、これにより、前記取り外し可能な板は、前記中心軸と平行に挿入される、請求項１４に記載のハニカム相互接続構造。
【請求項１６】
各セルは、直角に接続された４つの相互接続板から形成された４つの壁を有し、各セルは、長方形である、請求項１３に記載のハニカム相互接続構造。
【請求項１７】
各セルは、６０°をなすように接続された６つの相互接続板から形成された６つの壁を有し、各セルは、六角形である、請求項１３に記載のハニカム相互接続構造。
【請求項１８】
前記相互接続板は、セルの湾曲壁を形成するように曲げられる可撓性部分を有し、これにより、前記セルは、前記相互接続板の前記可撓性部分によって形成された湾曲壁を有する、請求項１３に記載のハニカム相互接続構造。
【発明の詳細な説明】
【技術分野】
【０００１】
本発明は、電子相互接続のための方法および装置に関し、より具体的には、相互接続板を有する電子シャーシに関する。
【背景技術】
【０００２】
多くの大型の電子システムは、ラック、引き出しまたは板の取り外しを可能にする、１つ以上のキャビネットまたはシャーシ内に収容されている。板は、システムが修理または拡張目的で依然として動作している間に、追加されるか、取り外される必要があり得る。従来のシステムでは、板は、多くのケーブルによって相互接続されており、ケーブルの混乱した群れを生成していた。
【０００３】
最近になって、バックプレーンとして知られる大型の板には、板の縁部を受容するコネクタのソケットが提供されている。ミッドプレーンは、シャーシの裏に位置しないが、シャーシの中央に位置するバックプレーンの変形である。コネクタのソケットは、ミッドプレーン板の両側に装着されてもよく、板がミッドプレーンの両面に挿入されることを可能にする。
【０００４】
板は、バックプレーンおよびミッドプレーンの主面に垂直に挿入される。冷却気流は、多くの場合、取り外し可能な板の間に流れる。バックプレーンおよびミッドプレーンは、取り外し可能な板と直交するので、多くの場合、気流を遮断するとともに、単一の垂直方向への気流を抑制する壁として機能する。穴またはノッチは、一部の空気を流すことができるようにバックプレーンまたはミッドプレーンに追加されてもよいが、これは、貴重な部品空間を浪費する場合がある。いくつかの板を一緒に順序よく並べることは、より多くの気流、または、より冷たい気流を必要とする場合がある。
【０００５】
例えば、コネクタを介して嵌合される同一平面のバックプレーン、および、特殊なコネクタを介して嵌合する直交バックプレーン等のように、様々な他の構成が試みられている。同一平面のバックプレーンは、互いに平行であるが、それらは、１つの寸法方向にのみ広がり、ほとんど使用されない。直交バックプレーンは、多くの場合、スタガリング（ｓｔａｇｇｅｒｉｎｇ）状の板と、他の特殊なコネクタとを必要とする。取り外し可能な板の密度は、多くの場合、所望の密度未満である。
【発明の概要】
【発明が解決しようとする課題】
【０００６】
高密度の相互接続の改善が所望される。
【図面の簡単な説明】
【０００７】
【図１Ａ】相互接続のためにバックプレーンを置き換えるハニカム構造の構成を示す図である。
【図１Ｂ】相互接続のためにバックプレーンを置き換えるハニカム構造の構成を示す図である。
【図１Ｃ】相互接続のためにバックプレーンを置き換えるハニカム構造の構成を示す図である。
【図１Ｄ】相互接続のためにバックプレーンを置き換えるハニカム構造の構成を示す図である。
【図１Ｅ】相互接続のためにバックプレーンを置き換えるハニカム構造の構成を示す図である。
【図２】ハニカム相互接続構造を通して空気を引き寄せるファンのバンクを示す図である。
【図３】ハニカム構造のセルを通して気流を作り出すファンバンクを有するハニカム相互接続構造を示す図である。
【図４】取り外し可能な板を誘導するスレッドキャリアを有するハニカム相互接続構造を示す図である。
【図５】ｚ仕切り板の露出した縁部と嵌合するようにスレッドガイドに挿入される取り外し可能な板を示す図である。
【図６】ハニカム相互接続構造に挿入された取り外し可能な板のいくつかのスレッドを示す図である。
【図７】スレッド上の取り外し可能な板をｚ仕切り板に挿入することを強調する側面図である。
【図８】ハニカム相互接続構造に挿入される取り外し可能な板の上面図である。
【図９】ｚ仕切り板内の気流プレナムを示す図である。
【図１０】ｚ仕切り板の両側を示す図である。
【図１１】ｚ仕切り板の後部に接続された小さい板を示す図である。
【発明を実施するための形態】
【０００８】
本発明は、電子システム相互接続の改善に関する。以下の説明は、当業者が特定の用途およびその要件と関連して提供されるように本発明を活用することを可能にするために提示される。好ましい実施形態に対する様々な修正が当業者において明らかであり、本明細書に定義される一般原理は、他の実施形態に適用され得る。したがって、本発明は、図示および記載される特定の実施形態に限定されることを意図しないが、開示された本明細書の原理および新規な特徴と一致する最大の範囲を与えられ得る。
【０００９】
本発明者は、バックプレーンが、バックプレーンに挿入された取り外し可能な板の間の気流を遮断する壁として機能し得ることを認識している。本発明者は、平板状バックプレーンがハニカム状（または格子状）の構造によって置き換えられ得ることを認識している。例示的ないくつかの実施形態では、ハニカム構造の各セルは、１つの取り外し可能な板を受容することができる。ハニカム構造の壁は、相互接続板である。取り外し可能な板は、ハニカムセルの壁のうち２つの壁に平行に挿入される。空気は、取り外し可能な板およびハニカム構造のセル壁の両方に平行に流れることができる。したがって、気流遮断バックプレーンは、ハニカム構造のセルによって開放されており、空気が、取り外し可能な板および相互接続板の両方を流れて、それらを冷却することを可能にする。
【００１０】
図１Ａ〜Ｅは、相互接続のためにバックプレーンを置き換えるハニカム構造の構成を示す図である。図１Ａでは、ｙ平面板１０は、この構造の床面を形成しており、ｙ平面内に存在する（すなわち、ｙ平面板１０は、ｙ軸に平行な法線を有する）。ｚ平面板１２は、この構造の右側の縁を形成しており、ｚ平面内に存在する（すなわち、ｚ平面板１２は、ｚ軸に平行な法線を有する）。ｚ仕切り板１４は、ｚ平面板１２に平行な他のｚ平面内に存在する（本明細書に使用される命名規則に従って、ｚ仕切り板１４は、ｚ軸に平行な法線を有する）。ｚ平面は、ｚ軸に平行な法線ベクトルを有する。ｚ仕切り板１４は、ｙ平面板１０上のコネクタのソケットに挿入されるか、そうでなければｙ平面板１０に装着されている。
【００１１】
図１Ｂでは、第２のｙ平面板１０は、ｚ仕切り板１４の第１の列の上部、且つ、ｚ平面板１２に取り付けられている。縁部コネクタ、ソケットまたは他の標準コネクタが使用されてもよい。次に、ｚ仕切り板１４の第２の列は、第２のｙ平面板１０の上部のソケットに挿入される。
【００１２】
図１Ｃでは、第３のｙ平面板１０は、ｚ仕切り板１４の第２の列の上部、且つ、ｚ平面板１２に取り付けられている。次に、ｚ仕切り板１４の第３の列は、第３のｙ平面板１０の上部のソケットに挿入される。
【００１３】
図１Ｄでは、第４のｙ平面板１０は、ｚ仕切り板１４の第３の列の上部、且つ、ｚ平面板１２に取り付けられている。次に、ｚ仕切り板１４の第４の列は、第４のｙ平面板１０の上部のソケットまたは他のコネクタに挿入される。
【００１４】
図１Ｅでは、第５のｙ平面板１０は、ｚ仕切り板１４の第４の列の上部、且つ、ｚ平面板１２に取り付けられている。第２のｚ平面板１２は、５つのｙ平面板１０の全ての左縁に取り付けられている。
【００１５】
合計１６個のハニカムセルが、図１Ｅにおける構造によって形成されている。各セルは、２つのｙ平面板１０の一部から形成された２つの縁部と、上部と、下部と、を有する。各セルは、２つのｚ仕切り板１４によって、または、１つのｚ仕切り板１４と１つのｚ平面板１２とによって形成された２つの側面を有する。
【００１６】
ｙ平面板１０、ｚ平面板１２およびｚ仕切り板１４は、他の板に相互接続されるように適合され、プリント回路基板（ＰＣＢ）、ソケット、アダプタ、プラグなどにおける金属配線トレース等によって、それらの上に形成された１つ以上の相互接続デバイスを含むことができる。縁部コネクタまたはソケットは、ｙ平面板１０、ｚ平面板１２およびｚ仕切り板１４が交差する板の間の相互接続を可能にする。
【００１７】
後述する図５〜６に示されるように、１つの取り外し可能な板（取り外し可能な板３０）は、図１Ｅの１６個のセルの様々な部分と嵌合されてもよい。取り外し可能な板３０は、ｚ平面内に存在し、ｚ仕切り板１４およびｚ平面板１２に平行である。
【００１８】
図２は、ハニカム相互接続構造を通して空気を引き寄せるファンのバンクを示す図である。ファンバンク２０は、前面から空気を引き寄せるいくつかのファン２２を有し、空気をファンバンク２０の後ろに吐き出す。気流は、図面で使用されるｘ、ｙ、ｚ基準によれば、ｘ方向である。ファン２２は、故障ファン２２または他の板１０，１２，１４，３０のサービス提供、アップグレードまたは交換などのために取り外し可能なファンのトレーまたはラックに装着されてもよい。
【００１９】
図３は、ハニカム構造のセルを通して気流を生成するファンバンクを有するハニカム相互接続構造を示す図である。ファンバンク２０は、図１Ｅにも示されるハニカム相互接続構造１００の１つのｘ平面（例えば、後部）に取り付けられている。ファンバンク２０は、ハニカム相互接続構造のセルを通して空気を移動させる。
【００２０】
例示的な実施形態では、空気は、取り外し可能な板（図示せず）、ｚ仕切り板１４およびｚ平面板１２の表面に平行なマイナスのｘ方向に流れる。このマイナスのｘ方向の気流は、ｙ平面板１０の表面にも平行である。
【００２１】
例示的な実施形態では、ｙ平面板１０は、ｚ平面板１２およびｚ仕切り板１４に直交するが、気流および取り外し可能な板の取り外し方向に実質的に平行である。ｚ平面板１２およびｚ仕切り板１４は、ｙ平面板１０に直交するが、気流および取り外し可能な板の取り外し方向に平行である。ｙ平面板１０、ｚ平面板１２またはｚ仕切り板１４の何れも気流方向に垂直ではない（何れも直交しない）ため、ファンバンク２０からの気流は、実質的に妨げられない。気流を遮断するために平坦なバックプレーン板などの壁はない。
【００２２】
図４は、取り外し可能な板を誘導するスレッドキャリアを有するハニカム相互接続構造を示す図である。取り外し可能な板は、ハニカムの各セルに挿入され得るが、ハニカム相互接続の拡張は、取り外し可能な板を誘導および受容するために使用される。
【００２３】
ｙ平面板１０、ｚ平面板１２およびｚ仕切り板１４のハニカム相互接続構造の拡張は、スレッドキャリア壁１８、スレッドキャリア仕切り１６およびスレッドキャリア床面１９によって提供される。スレッドキャリア壁１８、スレッドキャリア仕切り１６およびスレッドキャリア床面１９は、図１Ａ〜Ｅに示されるように、ｙ平面板１０、ｚ平面板１２およびｚ仕切り板１４のために記載される様式と同様の基本的な様式で形成されてもよく、ｙ平面板１０、ｚ平面板１２およびｚ仕切り板１４のハニカム相互接続構造の前面に配置されている。スレッド１６，１８，１９の代替の構成および実施形態も提供され得る。スレッド１６，１８，１９は、単なる構造的な支持を提供してもよいし、板１０，１２の一部に電気的に接続されてもよい。
【００２４】
しかしながら、スレッドキャリア仕切り１６は、ｚ仕切り板１４の位置からオフセットされる。このオフセットは、ｚ仕切り板１４の前縁が、スレッドキャリア仕切り１６の間またはそれに隣接して、露出されることを可能にする。取り外し可能な板（図示せず）は、ｚ仕切り板１４のこの露出した縁部に接続される。
【００２５】
スレッドガイド２４は、スレッドキャリア床面１９の上面に形成されている。各スレッドガイド２４は、取り外し可能な板の縁部を受容する溝または他の位置決め補助であってもよいし、取り外し可能な板を保持するスレッドであってもよく、挿入中にコネクタが嵌合するのを可能にするｚ仕切り板１４の露出した縁部で、取り外し可能な板を所定の位置に誘導する。他のスレッドガイド２４は、スレッドキャリア床面１９の下部、および、上部スレッドキャリア壁１８の下部に形成されてもよいが、これらは、図４の斜視図では見ることができない。
【００２６】
図５は、ｚ仕切り板の露出した縁部と嵌合するようにスレッドガイドに挿入される取り外し可能な板を示す図である。スレッド３０は、集積回路（ＩＣ）および他の電子部品を有する回路基板等の取り外し可能な板を保持する。各取り外し可能な板は、大型のシステム内のコンピュータプロセッサボード、通信ボード、ストレージカード、ネットワークカード等であってもよい。
【００２７】
スレッド３０は、スレッドキャリア床面１９上のスレッドガイド２４に適合する縁部２６を有する。スレッド３０の挿入方向は、マイナスのｘ方向である。これは、気流方向と同じ方向である。
【００２８】
図６では、取り外し可能な板のいくつかのスレッドがハニカム相互接続構造に挿入されている。スレッド３０の縁部２６は、マイナスのｘ方向に押されるとき、スレッドガイド２４によって誘導される。スレッドガイド２４は、スレッド３０上に装着された取り外し可能な板の遠縁におけるコネクタを、ｚ仕切り板１４の露出した縁部上の嵌合コネクタと整列させる。コネクタをともにロックするために最終的な強い圧力がかけられ、スレッド３０上の取り外し可能な板をｚ仕切り板１４と電気的に接触させる。スレッド３０上の取り外し可能な板は、相互接続されたｙ平面板１０、ｚ平面板１２およびｚ仕切り板１４のハニカムによって他の取り外し可能な板に相互接続される。
【００２９】
スレッド３０上の取り外し可能な板は、挿入されると、スレッドキャリア仕切り１６に平行であり、いくつかのｚ仕切り板１４とほぼ同一平面上にある。ファンバンク２０からの気流は、スレッド３０上の取り外し可能な板の表面にわたって、さらには、ｚ仕切り板１４、ｙ平面板１０およびｚ平面板１２の表面にわたって移動する。板または仕切りの何れも、気流の方向に垂直ではない。したがって、冷却は、ハニカム相互接続構造の幾何学的形状によって強化される。
【００３０】
図７は、スレッド上の取り外し可能な板をｚ仕切り板に挿入することを強調する側面図である。取り外し可能な板５０は、金属配線トレースによって接続された集積回路チップ５２が装着された、プリント回路基板（ＰＣＢ）である。コネクタ４２は、完全に挿入されると、ｚ仕切り板１４上のコネクタ４４と嵌合する。
【００３１】
スレッド３０は、取り外し可能な板５０に取り付けられ、スレッドキャリア床面１９上のスレッドガイド２４に適合する縁部２６を有する。スレッド３０は、プラスチックであってもよいし、取り扱い、挿入および取り外しを容易にするハンドグリップを有してもよい。挿入は、マイナスのｘ方向であり、取り外しは、プラスのｘ方向である。スレッド３０または取り外し可能な板５０を所定の位置に固定するチップまたは他の機構が追加されてもよい。
【００３２】
ｚ仕切り板１４は、３つの縁部に沿ってコネクタ４４，４０を有する。コネクタ４４は、取り外し可能な板５０への接続を行うが、コネクタ４０は、ｙ平面板１０への接続を行い、これは、図７において横向きに示される。ｚ仕切り板１４上の金属トレースは、接続された板の間に相互接続の一部を提供する。各コネクタの組における中心コネクタパッドまたはピンは、電力トレース３４に接続されており、電力および接地トレースを含むことができる。ｚファブリックトレース３６は、ｙ平面板１０の間に接続するためにコネクタ４０の間を接続するが、ｙファブリックトレース３８は、コネクタ４４とコネクタ４０との間を接続しており、取り外し可能な板５０からｙ平面板１０までの相互接続を形成する。スレッド３０の折り畳まれたトロイダル相互接続は、同様にｙ平面によって、さらにｚ仕切り板１４との組み合わせによって、達成され得る。
【００３３】
図８は、ハニカム相互接続構造に挿入される取り外し可能な板の上面図である。ｙ平面板１０は、いくつかのｚ仕切り板１４に広がっており、ｚ仕切り板１４に接続する。ｚ仕切り板１４および取り外し可能な板５０は、横向きに示されている。スレッドキャリア床面１９上のスレッドガイド２４は、コネクタ４２がコネクタ４４と嵌合することができるように、ｚ仕切り板１４に対して取り外し可能な板５０を位置決めするようにスレッド３０の縁部を誘導する。
【００３４】
ｚ仕切り板１４上のコネクタ４０は、ｙ平面板１０に接続する。ファンバンク２０は、ｚ仕切り板１４および取り外し可能な板５０の表面を超えてマイナスのｘ方向に空気を引き寄せる。ファンコントローラ板７０は、ファンバンク２０内のファンに電力を供給し、必要に応じて、ファンの回転速度またはサイクルファンのオンおよびオフを制御することができる。電力面６６は、コネクタ７４，７２を介してファンコントローラ板７０に電力を供給し、コネクタ６８を介してｙ平面板１０に電力を供給する。スレッド３０上の電力供給ユニット６０は、電力供給ユニット６０によって生成された電力を供給するために電力面６６上のコネクタ６４と嵌合するコネクタ６２を有しており、コネクタ６２は、外部の交流電力に接続することができる。
【００３５】
図９は、ｚ仕切り板内の気流プレナムを示す図である。ノッチ１５は、ｚ仕切り板１４の裏面上であって、コネクタ４０またはコネクタ４４を有しない後縁上に設けられてもよい。ノッチ１５は、ファンバンク２０に面する。気流の一次方向は、マイナスのｘ方向であるが、ノッチ１５は、空気が平衡を保ち、ｙ方向により均等に分配されることを可能にする。より良好な気流の分配が可能である。プレナムが提供される場合、ファンは、ハニカム構造のより近くに設置されてもよい。
【００３６】
図１０は、ｚ仕切り板の両側を示す図である。追加のコネクタ８２は、コネクタ４４から離れてｚ仕切り板１４の後縁に沿って配置されている。後部板８０は、コネクタ８２と嵌合するコネクタ８４を有しており、ｚ仕切り板１４がコネクタ４４を介して後部板８０および取り外し可能な板５０に接続することを可能にする。したがって、この代替の実施形態では、ＩＣ３２を有する２つの板は、各ｚ仕切り板１４に接続することができる。
【００３７】
図１１は、ｚ仕切り板の後部に接続された小さい板を示す図である。カード９０は、ｚ仕切り板１４上のコネクタ８２と嵌合するコネクタ８４を有する小さい板である。カード９０は、ｚ仕切り板１４の後部で開口部内に適合する。カード９０は、診断または監視回路等のアクティブ回路を提供することができる。
【００３８】
いくつかの他の実施形態が本発明者によって企図される。例えば、ハニカム構造は、３つの寸法の何れかの方向に拡張されてもよい。密度は、より密接な板の間隔によって増大されてもよいし、間隔の増大によって減少されてもよい。空き領域が追加されてもよいし、接続されたスレッドを有しないハニカムセルが、追加の気流、ケーブル敷設または診断のためのアクセス等の様々な目的に使用されてもよい。図１Ａ〜Ｅでは、ハニカム構造を構築する特定の方法を示しているが、他の方法またはステップの順序が代用され得る。多くのハニカムセルに広がるｙ平面板１０およびｚ平面板１２を有するよりも、１つのセルにのみ広がるこれらの板や、ｚ仕切り板１４等のために多くのこのような板が使用され得る。板は、ガラス繊維および金属層から生成された標準のプリント回路基板（ＰＣＢ）であってもよいし、セラミック、ガラス、サファイア、硬質または可撓性プラスチック等の他の基材を有してもよい。コンデンサおよびレジスタ等の様々な部品が板に装着されてもよいし、板と一体に形成されてもよい。フラットケーブル（リボンケーブル）がｙ平面方向にＰＣＢの代わりに使用され得る。カード９０に加えて、コネクタ８４は、ケーブルと嵌合するために使用されてもよいし、光学送受信機と置き換えられてもよい。
【００３９】
スレッドガイドは、スレッドの縁部を受容する溝として記載されているが、ばね、留め具、ねじ山、くぼみ等の多くの他の種類の誘導機構が代用され得る。ロック機構または固定機構、および、取り出し機構もまた、コネクタの一部として、または、板およびスレッドの一部として追加されてもよい。スレッド３０は、下部および上部のスレッドキャリア床面１９よりも、スレッドキャリア仕切り１６等の側面に装着されるラックガイドによって誘導され得る。両側および上部／下部ガイドが利用され得る。スレッド３０または取り外し可能な板５０は、ｚ仕切り板１４と重なり得る。ｚ仕切り板１４の前縁に接続するよりも、取り外し可能な板５０は、ｚ仕切り板１４のさらにはるか後ろに装着されたコネクタと接続し得る。
【００４０】
ハニカム構造全体、ファンおよびキャリアガイドは、電気キャビネットまたは他の治具の内側のラック上に装着され得る。ライトまたはディスプレイ等のインジケータは、機能的および非機能的な取り外し可能な板５０、ｚ仕切り板１４または他の部品を示すために追加され得る。
【００４１】
１つのスレッド３０につき１つの取り外し可能な板５０が記載されているが、１つのスレッド上に適合する大量の取り外し可能な板５０が存在し得る。１つのスレッドにつき取り外し可能な板５０のうち１つの板５０のみが、他の板が背に乗せられるか、さもなければ接続を行う取り外し可能な板５０に接続された状態で、ｚ仕切り板１４の縁部と嵌合するコネクタを有することができてもよいし、２つ以上の板がｚ仕切り板１４上の大量のコネクタへのコネクタを有し得る。タイル張りのＰＣＢは、単一のｙ平面の大きさよりも長い距離に広がるために使用されてもよい。ｚ平面または他の板は、鏡面配置および反転されてもよいし、分割または組み合わせられてもよい。接続は、１つ以上の板を飛び越え、通過しまたは飛ばして進んでもよい。ストライピングが使用されてもよい。
【００４２】
コネクタは、非対称であり、不適切なまたは逆の挿入を防ぐために鍵がかけられてもよいし、オフセットされてもよい。板は、図示されるものと同じ配向を有するよりも、所定の配向に整列および鏡面配置されてもよい。スレッド３０および取り外し可能な板５０は、より多くの回路を可能にするように、図示されるよりもはるかに長くてもよい。様々な幅、高さおよび長さの比は、板、スレッド、ファンおよび他の部品に代用されてもよい。
【００４３】
使用されるｘ、ｙ、ｚ座標系は、参照のための一例である。ｘ、ｙ、ｚの他の割り当てが代用されてもよいし、極座標等の他の座標系が使用されてもよい。ｘ、ｙ、ｚ座標系の使用は、本発明の理解を支援するためのものであり、本発明を限定することを意味しない。例えば、気流の方向は、マイナスのｚ方向として指定され得る。次に、ｚ平面板１２およびｚ仕切り板１４は、ｘ平面またはｙ平面内にある。−ｘ方向の気流が示されているが、空気は、引き寄せられるよりも、後ろからハニカム構造の中に押される可能性があり、＋ｘ気流方向をもたらす。追加のファンまたは通気孔が、より複雑な気流のために追加され得る。
【００４４】
ノッチは、ｚ仕切り板よりもｙ平面板に追加され得る。ノッチは、様々な形状を有してもよい。ノッチを使用するよりも、１つの穴または複数の穴がプレナムとして使用され得る。様々な板の大きさおよび形状は、均一であってもよいし、電力またはファン制御等の他の目的等のために変化してもよい。ハニカムセルは、９０度のコネクタが使用されるとき、正方形または矩形であり得るが、低角度を有するコネクタが使用される場合、六角形等の他の形状を有し得る。六角形のセルは、４つの壁ではなく６つの壁を有し、６０度のコネクタを使用し得る。硬質板ではなく可撓性の板が使用され得る。可撓性の板を曲げることによって、様々な角度が達成され得る。変形した六角形のハニカム構造は、１つの可能性である。板は、可撓性および硬質の部分の両方を有し得る。可撓性の部分は、隣接する板と重なり、接触カプラまたは非接触カプラの何れかを使用し得る。接触ベースのカプラが記載されているが、いくつかまたは全てのカプラは、容量カプラまたは誘導カプラ等の非接触であり得る。
【００４５】
本発明の背景技術の欄は、他者による先行技術を記載するよりも、本発明の問題または環境に関する背景情報を含み得る。したがって、背景技術の欄において材料を含めることは、本出願人による先行技術の承認ではない。
【００４６】
記載されたあらゆる利点および利益は、本発明の全ての実施形態に適用しなくてもよい。語句「手段」が特許請求の要素に列挙されるとき、出願人は、米国特許法第１１２条の第６節に該当する特許請求の要素を意図する。多くの場合、１つ以上の語句の符号は、語句「手段」に先行する。語句「手段」に先行する１つ以上の語句は、特許請求の要素の参照を軽減することを意図された符号であり、構造的限定を伝えることを意図しない。このようなミーンズ・プラス・ファンクション・クレームは、機能およびその構造的均等物を実施するために本明細書に記載される構造のみではなく、均等な構造もまた網羅することが意図される。例えば、釘およびネジは、異なる構造を有するが、それらは、締結する機能を果たすため、均等な構造である。語句「手段」を使用しない特許請求は、米国特許法第１１２条の第６節に該当することを意図しない。信号は、典型的には電子信号であるが、光ファイバー線を介して運ばれ得るような光信号であってもよい。
【００４７】
本発明の実施形態の前述の説明は、図解および説明の目的で提示されている。それは、包括的であること、または、本発明を開示される正確な形に限定することを意図しない。上記の教示に照らして、多くの修正および変形が可能である。本発明の範囲は、この詳細な説明ではなく、むしろ添付された特許請求の範囲によって限定されることが意図される。
【図１Ａ】
0005992098.tif 000002
【図１Ｂ】
0005992098.tif 000003
【図１Ｃ】
0005992098.tif 000004
【図１Ｄ】
0005992098.tif 000005
【図１Ｅ】
0005992098.tif 000006
【図２】
0005992098.tif 000007
【図３】
0005992098.tif 000008
【図４】
0005992098.tif 000009
【図５】
0005992098.tif 000010
【図６】
0005992098.tif 000011
【図７】
0005992098.tif 000012
【図８】
0005992098.tif 000013
【図９】
0005992098.tif 000014
【図１０】
0005992098.tif 000015
【図１１】
0005992098.tif 000016